Podtech/llm-jp-corpus-v4-ja_patent huggingface dataset:
(57)【要約】【課題】本発明は、ガーデニングや家庭菜園作業時に、撥水性の素材布等を利用して膝上から足の甲までを覆うことによって、作業による足首周辺からの土・葉の侵入の不快感や水濡れ・汚れ、膝・すねの圧痛等を防ぐための花レッグカバーを提供する。【解決手段】不快感や汚れ等に対して、膝上から膝部・すね・足首・かかと・足の甲等を、撥水性の素材布等を利用して簡易な方法で覆い、固定ひも等を用い足首（４）にくくりつける。また、膝・すね部には、少し厚手のパッド（２、３）を花の形のアップリケにして装飾を兼ねて取り付ける。楽しく快適に作業を進め、オシャレ心も満たしつつ課題を解決したことを特徴とする。【選択図】図１
2010005463.tif 000002
【特許請求の範囲】
【請求項１】
撥水性の素材布等を利用して、ガーデニングや家庭菜園作業時に膝上から膝部・すね部・足首（４）・かかと（５）・足の甲等を簡易な方法で覆い、土・葉が靴の中に入り込む不快感を少しでも和らげ水濡れや汚れ防止を図り、楽しく快適に作業を進め課題を解決することを特徴とする花レッグカバー。
【請求項２】
膝・すね部には少し厚手のパッド（２、３）を花の形のアップリケにして装飾を兼ねて取り付け、圧痛等を緩和し楽しく作業を進め、オシャレ心も満たすことを特徴とする花レッグカバー。
【発明の詳細な説明】
【技術分野】
【０００１】  本発明は、ガーデニングや家庭菜園作業時に、撥水性の素材布等を利用して膝上から足の甲までを覆うことによって、作業による足首周辺からの土・葉の侵入の不快感や水濡れ・汚れ、膝・すねの圧痛等を防ぐための花レッグカバーに関するものである。
【背景技術】
【０００２】  従来、ガーデニングや家庭菜園作業時には、あまり大げさに更衣せず、意外に汚れてしまってから後悔することがよくある。
しかし、近年のガーデニングブーム等からアームカバーやＵＶカットの帽子や上着が工夫され、また、足首あたりの裾捌きに対しては、作業用膝頭カバー、フットカバー、レッグカバー等が工夫されている（特許文献１、２、３参照）。
【先行技術文献】
【０００３】
【特許文献１】  特開平８−２９１４０４号公報
【特許文献２】  特開２００９−１３３０２３号公報
【特許文献３】  特開２００７−２７７７６１号公報
【発明の概要】
【発明が解決しようとする課題】
【０００４】  そのため、次のような問題点があった。
（イ）足首周辺のスキマから土や葉などの異物が入り、靴の中までも入り込み作業中断と    いうような問題があった。
（ロ）露や水滴がある場合は濡れ、特に汚れが強くなり後始末が大変になるという問題が    あった。
（ハ）作業時に膝をついたり座り込んだりして石等に当たり、圧痛等の不快感を招くとい    う問題があった。
本発明は、これらの問題点を解決するためになされたものである。
【課題を解決するための手段】
【０００５】  不快感や汚れ等に対して、膝上から膝部・すね・足首・かかと・足の甲等を、撥水性の素材布等を利用して簡易な方法で覆い、固定ひも等を用い足首（４）にくくりつける。
また、膝・すね部には少し厚手のパッド（２、３）を花の形のアップリケにして装飾を兼ねて取り付ける。
楽しく快適に作業を進め、オシャレ心も満たしつつ課題を解決する。
以上を特徴とする花レッグカバーである。
【発明の効果】
【０００６】  普段の服装の上から、花レッグカバーを靴下を履くように簡易に取り付けることができる。
膝上から足首・甲までカバーすることでスキマからの異物侵入を防ぐので、不快感も作業中断もなくなることが期待できる。
撥水性の素材布等の特徴により、スラックス等衣服の水濡れや汚れを防ぐ。
膝・すね部に少し厚手のパッドを取り付けることによって圧痛が緩和される。
また、花レッグカバーの固定ひも（７）をバレエのトウシューズのようにくくりつけるが幅広のゴムひもに代えてマジックテープ（登録商標）で固定するとより手軽に扱える。
【図面の簡単な説明】
【０００７】
【図１】  本発明の花レッグカバー本体の全体図である。
【図２】  本発明の各部品（ａ）（ｂ）（ｃ）の説明図である。
【図３】  本発明固定ひもの場合の使用状態を示した説明図である。
【発明を実施するための形態】
【０００８】  以下、本発明の実施の形態について説明する。
図２のような部品を縫いつけ、図１のように仕上げる。
本体筒状の脚カバー部（１）の上と下にゴムひもを通し絞る。
これで動きに支障なくほぼ固定でき、膝上約１０センチメートルから、靴・靴下・スラックスの裾とのスキマが生じる足首までをカバーできる。
しかし、ゴムで絞るだけだと上にずれて、またスキマが生じてしまうことが予想されるので、さらに足の甲あて部品を取り付け固定ひも（７）や少し幅広のゴムひもでまず甲と土踏まずを固定し、足首までもしっかり固定する。
本発明は以上のような構成である。
これを使用する時は、靴下をはくようにして膝上まで引き上げ、膝やすねにぴったりあてる。
かかともカバーする。
そして、しっかり固定するために甲と土踏まずの周りを巻き、次に足首に向けバレエのトウシューズのようにクロスさせ編み上げて足首にくくりつける。
締め具合で各個人の心地よさや太さや長さにぴったりとなる。
なお、固定ひもを少し幅広のゴムひもにすれば、さらにフィットし、動きに合わせられるし窮屈感も減少する。
その際は結ぶより、マジックテープ（登録商標）で留める。
【符号の説明】
【０００９】１  本体筒状の脚カバー部
２  膝当て部
３  すね当て部
４  足首
５  かかと
６  足の甲当て部
７  固定ひも（または少し幅広のゴムひも）
【図１】
2010005463.tif 000003
【図２】
2010005463.tif 000004
【図３】
2010005463.tif 000005
(57)【要約】【課題】糖尿病、内蔵脂肪の原因であるメタポリック症候群を予防するために、無意識による食事の早食いや、食べ過ぎを防ぐため、茶碗の底を上げ底にして、見た目は多く体裁は良いが、実際は少量で減量にできる茶碗を提供する事も目的とする。【解決手段】各種形状の茶碗の内側部の底部を５割り以上底上げにし、少ないご飯の量を多く見せ、視覚環境で満足させ、少ないご飯を良く噛むように習慣をつける。【選択図】図１
2010005348.tif 000002
【特許請求の範囲】
【請求項１】
茶碗の底部を底上げ形状にしたことを特徴とする底上げメタポリック予防茶碗。
【請求項２】
茶碗の底部を底上げ形状にしたことで通常ご飯を盛り付けた量と同様の視覚的満足感が得られることを特徴とする請求項１記載の底上げメタポリック予防茶碗。
【請求項３】
茶碗の底部を底上げ形状部の内部空洞部を設け、軽くした請求項１記載の底上げ又メタポリック予防茶碗。
【発明の詳細な説明】
【技術分野】
【０００１】  本発明は、ご飯類の食事量を減らしダイエットすることでメタボリック症候群を予防するための茶碗の内部の形状に関するものである。
【背景技術】
【０００２】  従来は、ダイエットのためには茶碗にご飯を半分に盛るか、茶碗を子供と同様の大きさの茶碗にするか、茶碗内側に目盛りをつけるか、または、計量器で量を正確に測るか等色々の方法が選択されているが、ほとんどが目分量で測られている状態であり、底上げの茶碗は店頭で販売されているのはあまり見たことがない。近年次のような特許出願、実用新案登録等がある。
【特許文献１】  特開２００６−２１８２４３号公報
【特許文献２】  実用新案登録第３０９０２４４号公報
【発明の開示】
【発明が解決しようとする課題】
【０００３】  それには次のような問題点があった。
従来使用している茶碗では、男性の茶碗は、女性の茶碗より大きいのが通常であり、盛り付けを少なくしてダイエットする事は見た目から絶対無理であり、茶碗を小さくする事も、子供の茶碗と比較され無理であり、長続きはできずたべてご飯の摂取量が増えてしまいカロリー過多になりメタポリックを予防できない。
本発明は、以上の問題点を解決するためのものである。
【課題を解決するための手段】
【０００４】  本発明は、このような従来の茶碗の内側構造を変えて、各種形状の茶碗の底部を底上げにし、ご飯の量を半分位にし、見た目は従来通のご飯の盛り方であり視覚では満足するが、量は半分なため、カロリーも半分になり、メタボリックの予防を実現する事を目的とする。
【発明の効果】
【０００５】  本発明のご飯を盛った底上げの茶碗では、見た目は多くご飯を盛ってあり、通常の盛り付けと変わらず見栄えも良く、視覚では満足できる、実際は少ないご飯を毎日継続して食べる為メタポリック症候群の予防に多いに期待できる効果がある。
【発明を実施するための最良の形態】
【０００６】  以下、本発明の実施の形態を説明する。
本発明のご飯を盛った各種形状の底上げメタポリック予防茶碗１を設け、その底上げメタボリック予防茶碗１の底部を底上げ部２を設け、底上げ底部は肉厚になるため、茶碗本体の重量を軽減するために空洞３を設けたものである。
本発明は、以上の構成よりなっている。
【図面の簡単な説明】
【０００７】
【図１】  本発明の斜視図である。
【図２】  本発明の正面図である。
【図３】  本発明の平面図である。
【図４】  本発明の断面図である。
【図５】  本発明の空洞のある断面図である。
【図６】  本発明の他の形状の実施例の正面図である。
【図７】  本発明の他の形状の実施例の平面図である
【図８】  本発明の他の形状の空洞のある断面図である。
【符号の説明】
【０００８】    １  底上げメタポリック予防茶碗
２  底上げ部
３  空洞
４  ご飯
【図１】
2010005348.tif 000003
【図２】
2010005348.tif 000004
【図３】
2010005348.tif 000005
【図４】
2010005348.tif 000006
【図５】
2010005348.tif 000007
【図６】
2010005348.tif 000008
【図７】
2010005348.tif 000009
【図８】
2010005348.tif 000010
(57)【要約】【課題】本発明は仕事で疲れた体、足、腰をリラックスさせるのに病院、マッサージ院とか行かないとなかなか疲れをとることがむずかしいなんとか毎日の疲れを家庭で癒すことができないかと考えだされた足揉み補助具を提共する．【解決手段】手摺り付枠を左右に設け前方に中央が折れる連結枠を設け後方に片開きの連結枠を設け開け閉めできる又開き巾の切り替えができるハメコミ式にしてあり収納する手順は左右の手摺り枠を合わせると連結枠は手摺り枠の内枠内に収納できる様にしてある．【選択図】図１
2010005360.tif 000002
【特許請求の範囲】
【請求項１】
左右の手摺り枠を閉じる時連結枠も同じに手摺り枠内に収納できる足揉み補助具
【請求項２】
手摺り枠を左右に設けた前面に２つに折りたためる枠を丁番で連結した請求項１の足揉み補助具
【請求項３】
手摺り枠を左右に設けた後面に手摺り枠の開口巾の切り替えができる連結枠を取り付た請求項１の足揉み補助具
【発明の詳細な説明】
【技術分野】
【０００１】本発明は足腰のマッサージをするのに使われる補助具に関するものである
【背景技術】
【０００２】従来より足腰のマッサージは病院か整体院へ行き専門の大型の器具を使いマッサージをしてもらっている（特許文献１参照）
【特許文献１】登録実用新案第３０３８９３５号公報
【発明の開示】
【発明が解決しようとする課題】
【０００３】疲れた足腰を癒すのに病院か整体院で専門医に診てもらうかしていた．本発明は以上の問題点をすこしでも解決するためになされたものである
【課題を解決するための手段】
【０００４】手摺り付枠を左右に設け前方に中折連結枠を設け後方に片開きの連結枠を設け開き巾の切り替えができるハメコミ式にしてあり収納する手順は左右の手摺り枠を合わせると連結枠は手摺り枠の内側に収納できる様にしてある
【発明の効果】
【０００５】薄形で、コンパクト、で置き場に困らず速設置して使用できる各家庭で使用するのに最適である
【本発明を実施するための最良の形態】
【０００６】以下本発明の実施の形態を説明する
（イ）手摺り枠（１Ａ）（１Ｂ）連結枠（４）連結枠（５）から成る
（ロ）手摺り枠（１Ａ）（１Ｂ）はタテ枠（３）と、補強枠（２）から成る．
（ハ）連結枠（４）は丁番（６）を設ける、折タタミができる．
（ニ）連結枠（５）はタテ枠ハサミ（７）と丁番（６）から成る
（ホ）手摺り枠（１Ａ）（１Ｂ）を合わせることにより連結枠（５）を手摺り枠（１Ａ）（１Ｂ）の枠内に収納ができる．
本発明は以上の構成より成る．
本発明を使用する場合は手摺り枠（１Ａ）（１Ｂ）を左右に広げると連結枠（４）も同じに開き設置できる．片開き連結枠（５）をタテ枠（３）にタテ枠ハサミ（７）をセットすることにより使用できる
【図面の簡単な説明】
【０００７】
【図１】本発明の斜視図
【図２】本発明の折タタミ収納右側面図
【図３】本発明の開き置きした前方図
【図４】本発明の折タタミ収納左側面図
【図５】本発明の開き置きした後方図
【図６】本発明のＡ−Ａ′断面図〔図４〕より
【図７】本発明のＢ−Ｂ′断面図〔図４〕より
【図８】本発明のＣ−Ｃ′断面図〔図４〕より
【図９】本発明の真上より見た図
【符号の説明】
【０００８】（１Ａ）（１Ｂ）手摺り枠（２）補強枠（３）タテ枠（４）連結枠（５）連結枠（６）丁番（７）タテ枠ハサミ
【図１】
2010005360.tif 000003
【図２】
2010005360.tif 000004
【図３】
2010005360.tif 000005
【図４】
2010005360.tif 000006
【図５】
2010005360.tif 000007
【図６】
2010005360.tif 000008
【図７】
2010005360.tif 000009
【図８】
2010005360.tif 000010
【図９】
2010005360.tif 000011
(57)【要約】【課題】  簡便な構造で、使用者の足のサイズへの適合が容易で、かつ低コストで製造可能な靴を提供すること。【解決手段】  踵の部分及び甲の部分の少なくともいずれかを、重ね継ぎ接合で開放可能な構造とし、接合の位置により、靴の長さ及び幅を調整可能とする。接合面にマジックテープ（登録商標）を用いれば、マジックテープの長さの範囲内で任意に接合位置が調整可能となり、利便性が増加する。【選択図】図１
2010005354.tif 000002
【特許請求の範囲】
【請求項１】
踵の部分及び甲の部分の少なくともいずれかが、重ね継ぎ接合で開放可能な構造を有し、長さ及び幅が調整可能であることを特徴とする靴。
【請求項２】
長さ及び幅の調整可能な範囲が、１０ｍｍ以下であることを特徴とする、請求項１に記載の靴。
【発明の詳細な説明】
【技術範囲】
【０００１】  本発明は、靴に関するもので、特に使用者の足のサイズに合わせて、長さや幅を一定の範囲で調整できる靴に関するものである。
【背景技術】
【０００２】  履物には多様な形式のものがあるが、使用者の足のサイズが合わないと、靴擦れ、外反母趾などの障害を起こすことがある。履物の中でも下駄、草履の類は、足全体を覆う構造ではないので、このような懸念が少ない。【０００３】  反面、これらの履物は、鼻緒で足の指の間に引っ掛けて履くので、激しい動きにより簡単に脱落するという問題がある。このような問題に対処するために、サンダルなどにおいては、バックバンドと称する、長さが調整可能な状態で、踝の直下の部分に掛けるバンドを備えていて、足の甲及び踝直下の部分で、履物を足に係合した構造のものが市販されている。また、このような構造のサンダルにおいては、甲の部分にも同様のバンドを設け、幅や高さの調整を可能としたものもある。【０００４】  しかしながら、前記のような履物は、足を覆う部分が少なく、安全の上で問題がある。従って、通常の靴においても使用者の足のサイズに、ある程度適応できるものがあると利用者の利便性向上に寄与し得ると考えられる。特に、近年の人口構成の高齢化に伴って増加しつつある、要介護者の靴においては、通常の靴よりも滑り止めなどの対策が必要になるため、高価になるばかりでなく、要介護者は足に何らかの障害を持つことがあり、靴のサイズについては、より細かい調整を要することが多い。【０００５】  このような靴の例として、特許文献１には、靴の内部に敷いて用いる中敷の踵の部分にスペーサーを挿入することで、使用者の足に靴を適合させる技術が開示されている。また、特許文献２には、爪先部分と踵部分の相対的縦方向変位を可能にする、履物のエレメントが開示されている。【０００６】  しかしながら、特許文献１に開示されているものでは、部品数が多くなり、靴を履くための手間が増加するという欠点がある。また、特許文献２に開示されている靴では、構成部品が多くなると同時に全体の構造が極めて複雑になり、製造コストの上昇を招来する結果となる。【０００７】
【特許文献１】  特開２００１−１０４００９号公報
【特許文献２】  特開２００８−５１７６９９号公報
【発明の開示】
【発明が解決しようとする課題】
【０００８】  従って、本発明の課題は、簡便な構造で、使用者の足のサイズへの適合が容易で、かつ低コストで製造可能な靴を提供することにある。
【解決手段】
【０００９】  本発明は、前記の課題に鑑み、簡単に使用者の足のサイズに適合し得る靴の構造を検討した結果、なされたものである。
【００１０】  即ち、本発明は、踵の部分及び甲の部分の少なくともいずれかが、重ね継ぎ接合で開放可能な構造を有し、長さ及び幅が調整可能であることを特徴とする靴である。
【００１１】  また、本発明は、長さ及び幅の調整可能な範囲が、１０ｍｍ以下であることを特徴とする、前記の靴である。
【発明の効果】
【００１２】  本発明の靴においては、前記のような構造であるため、長さと幅を使用者の足のサイズに合わせて調整が可能である。また、重ね継ぎの部分の接合に、フックなどの他に、マジックテープ（登録商標）を使用することが可能であるが、マジックテープを使用した場合は、接合の位置の微調整が可能なので、より快適に使用できる。
【００１３】  また、長さや幅の調整可能範囲を１０ｍｍ以下としたのは、これ以上の範囲で調整しようとする場合は、調整幅の範囲で最小の長さにした場合、その構造的な特徴から靴底が過度に大きくなってしまい、逆に調整幅の範囲で最大の長さにした場合、靴底が過度に小さくなってしまうからであり、幅についても同様のことが言えるからである。
【発明を実施するための最良の形態】
【００１４】  次に本発明の実施の形態について、図を参照しながら説明する。図１は本発明に係る靴の一例を示す図である。図において、１は靴本体、２は甲の接合部、３は踵の接合部、４ａ、４ｂ、４ｃ、４ｄはマジックテープである。【００１５】  この図に示した靴は、マジックテープ４ａ、４ｂ、４ｃ、４ｄの接合の位置を変えることにより、靴の長さと幅を調整できる。しかも、接合の手段としてマジックテープを用いているので、マジックテープの長さの範囲内で、接合の位置を任意に設定できる。従って、利用者は、足のサイズに対して概ね±１０ｍｍのサイズの靴を選択すると、前記の調整機構により、靴の方を利用者の足の方に適合せることができ、快適な履き心地を体感できる。【００１６】  なお、この図に示したのは、一対の靴の左側である。甲の接合部２と踵の接合部３における重ね継ぎの可動側は、つまり、マジックテープ４ｂとマジックテープ４ｄを取り付けた部分が足の内側に設定されている。靴の右側は左側と対象の構造になっているのは勿論である。【００１７】  一般に歩行の際に靴が外部の障害物と接触する確率は、外側が圧倒的に大きいと考えられ、障害物との接触により、重ね継ぎの部分が外れることが想定されるが、このように重ね継ぎの可動部を内側に設定しておくことにより、これが原因となって靴が脱落することを防ぐことができる。【００１８】  以上に説明したように、本発明によれば、簡単な構造でサイズの調整が可能な靴を提供することができ、利用者の利便性を向上することができる。なお、なお、本発明は、前記具体例に限定されるものではなく、本発明の要旨を逸脱しない範囲の設計変更があっても、本発明に含まれる。即ち、本技術分野における通常の知識を有する者であれば想到し得る、各種変形、修正が本発明に含まれることは論を俟たない。
【図面の簡単な説明】
【００１９】
【図１】  本発明に係る靴の一例を示す図
【符号の説明】
【００２０】１                      靴本体
２                      甲の接合部
３                      踵の接合部
４ａ，４ｂ，４ｃ，４ｄ  マジックテープ
【図１】
2010005354.tif 000003
(57)【要約】【課題】  ポスタ等を印刷することができる大判プリンタなどの画像出力装置において、無駄なコストをかけずに退色、ゴミ傷に強いポスタを作成するシステムを提供する。【解決手段】  印刷された画像を入力する画像入力手段と、前記印刷された画像の印刷する前のデータを記憶する元画像記憶手段と、前記画像入力手段より入力された画像と前記元画像記憶手段に記憶された画像とを比較する画像比較手段と、前期画像比較手段で比較された結果に基づいて出力方法を判定する出力方法判定手段と、前期出力方法判定手段で決定された出力方法に基づいて画像を出力する画像出力手段から構成される画像出力装置とする。【選択図】  図１
2010005910.tif 000002
【特許請求の範囲】
【請求項１】
印刷された画像を入力する画像入力手段と、
前記印刷された画像の印刷する前のデータを記憶している元画像記憶手段と、
前記画像入力手段より入力された画像と前記元画像記憶手段に記憶された画像とを比較する画像比較手段と、
前期画像比較手段で比較された結果に基づいて出力方法を判定する出力方法判定手段と、
前期出力方法判定手段で決定された出力方法に基づいて画像を出力する画像出力手段からなることを特徴とする画像出力装置。
【発明の詳細な説明】
【技術分野】
【０００１】
本発明は、ポスタ等を印刷することができる大判プリンタなどの画像出力装置に関するものである。
【背景技術】
【０００２】
インクジェット方式の大判プリンタは、近年、手軽に大きなサイズを印刷することができ、発色にも優れている為、ポスタ等の印刷に使用されるようになってきた。しかしながら、太陽光を直接浴びるところでは色褪せしたり、他の物に接触したりする場所では、傷やごみが付き易いという問題が有った。色褪せに関しては、色褪せに強いインクが開発されている（特許文献１参照。）。傷やごみに関しては、透明フィルムを積層するものが、開示されている（特許文献２参照。）。
【特許文献１】特開平10-324836号公報
【特許文献２】特開平08-335051号公報
【発明の開示】
【発明が解決しようとする課題】
【０００３】
しかしながら、色褪せないインクを使用する場合でも、フィルムを積層する場合でも、コストがかかるという問題が有った。
【課題を解決するための手段】
【０００４】
上記課題に鑑みて、本発明における画像出力装置は、
印刷された画像を入力する画像入力手段と、前記印刷された画像の印刷する前のデータを記憶する元画像記憶手段と、前記画像入力手段より入力された画像と前記元画像記憶手段に記憶された画像とを比較する画像比較手段と、前期画像比較手段で比較された結果に基づいて出力方法を判定する出力方法判定手段と、前期出力方法判定手段で決定された出力方法に基づいて画像を出力する画像出力手段から構成される。
【発明の効果】
【０００５】
本発明によれば、展示後のポスタの画像データと展示前のポスタの画像データを比較することによって、展示場所に相応しいポスタ作成が行えるので、余分なコストが、かからないという効果を有する。
【発明を実施するための最良の形態】
【０００６】
次に、本発明の詳細を実施例の記述に従って説明する。
【実施例１】
【０００７】
図１は、本発明の画像出力装置の実施例を示すブロック図である。１は展示されたポスタ等を入力するところの画像入力部で、２は入力された画像データを記憶するところの入力画像記憶部で、３は前記ポスタを出力する前の画像データを記憶するところの元画像記憶部で、４は前記入力画像記憶部２に記憶された画像と前記元画像記憶部３に記憶された画像データを比較するところの画像比較部で、５は出力方法を判定するところの出力方法判定部で、６はインクを選択するところのインク選択部で、７は印刷するところの印刷部で、８は今回印刷するポスタの印刷データを記憶するところの今回印刷データ記憶部で、９はフィルム積層をするか否かを選択するところのフィルム積層選択部で、１０は出力されたポスタで、１１はフィルムを積層するところのフィルム積層部で、１２は出力されたポスタである。
【０００８】
次に図１の動作説明を行う。既に展示済みのポスタを画像入力部１より、読み込む。読み込んだデータは、入力画像記憶部２に記憶される。前記ポスタの印刷前の画像データは、ポスタ作成時に、予め、元画像記憶部３に記憶さている。入力画像記憶部２と元画像記憶部３の画像データを画像比較部４で比較される。ここにおいて、各画素の退色度と、ゴミ傷画素数が判定される。各画素の色差を算出することで行う。式差が有る閾値以内かどうかの判定がなされ、ある色差以内であれば、退色と判定される。ある色差を越えている場合は、ゴミ傷と判定される。その場合は、更に、ゴミ傷部分とその周辺部分についての式差を元画像と展示済みポスタの画像との両方について行う。その結果、元画像では、あまり式差は無く、展示済みポスタ画像についてだけ色差が大きい場合にゴミ傷と判定される。これによって、ゴミ傷画素数を算出し、ゴミ傷画素数の全画素に占める割合が算出され、出力判定部５へ送られる。また、退色については、ゴミ傷と判定されなかった画素の元画像との色差の１画素当たりの平均値が、出力判定部５へ送られる。出力判定部５は、画像比較部４より送られてきたゴミ傷画素数の全画素に占める割合が、ある一定値以上である場合に、フィルム積層が必要と判断する。又、画像比較部４より送られてきた元画像との色差の１画素当たりの平均値が、ある一定値以上ある場合には、退色と判断する。退色しているか否かの情報は、インク選択部６に送られる。インク選択部６では、退色している場合には、退色しないインクを選択し、退色してない場合には、通常のインクを選択する。印刷部７は、インク選択部６で選択されたインクで、今回印刷データ８より送られてくる印刷データの印刷を行う。印刷されたポスタは、フィルム積層選択部９に送られる。フィルム積層選択部９は、出力判定部５で判定されたフィルム積層が必要か否かの情報に基づいて、ポスタにフィルム積層を行うか行わないかの選択を行う。フィルム積層を行う場合には、印刷部７で印刷されたポスタをフィルム積層部１１へ送る。フィルム積層を行わない場合は、ポスタ１０が生成される。フィルム積層部１１は、フィルム積層を行う場合にフィルム積層選択部９より送られてきたポスタにフィルム積層を行う。
【図面の簡単な説明】
【０００９】
【図１】本発明の画像出力装置の実施例を示すブロック図
【符号の説明】
【００１０】
１  画像入力部
２  入力画像記憶部
３  元画像記憶部
４  画像比較部
５  出力方法判定部
６  インク選択部
７  印刷部
８  今回印刷データ記憶部
９  フィルム積層選択部
１０  ポスタ
１１  フィルム積層部
１２  ポスタ
【図１】
2010005910.tif 000003
(57)【要約】      （修正有）【課題】従来のWEBゲームシステムでは、ユーザー（プレーヤー）は当該WEBゲームシステム内だけで完結し、他のWEBゲームシステム及び現実社会には反映・引継されない。【解決手段】ユーザーがWEBシステム内のクエスト企画を進行する過程において、ＷＥＢシステム内の他のゲーム内や現実社会と連動させる。ゲーム内と現実社会の境界をなくすことで、ユーザー（プレーヤー）に、よりリアルな仮想空間を体験してもらう。また、ユーザー（プレーヤー）のＷＥＢゲームシステムへのアクセス数・アクセス時間を増加させる。【選択図】図１
2010005184.tif 000002
【特許請求の範囲】
【請求項１】
（公序良俗違反につき、不掲載）（（公序良俗違反につき、不掲載）：自社開発WEBシステム。２D仮想空間サービス。）内において、ARG（Alternate Reality Game：代替現実ゲーム）と呼ばれているカードゲームを中心に、TRPG（Table-talk Role Playing Game：ゲーム機などのコンピュータを使わずに、紙や鉛筆、サイコロなどの道具を用いて、人間同士の会話とルールブックに記載されたルールに従って遊ぶ“対話型”のロールプレイングゲーム）の要素と（公序良俗違反につき、不掲載）内で展開するクエスト機能（（公序良俗違反につき、不掲載）内の機能。本機能によりストーリーを展開。また、クエスト企画に参加することで（公序良俗違反につき、不掲載）のゲームカードを取得できる。）を用いたアドベンチャー性を付け加え、カードゲーム単体ではなくそれぞれのゲーム及び現実社会を連動させることを特徴とするＷＥＢゲームシステム。
【発明の詳細な説明】
【技術分野】
【０００１】
本発明は、インターネットにおけるWEBゲームシステムに関する。
【背景技術】
【０００２】
従来のWEBゲームシステムは、オンラインゲームが主流であり、ゲームソフト自体はWindows（マイクロソフト社登録商標）などのOS上で動作するようになっており、インターネット経由で他のコンピュータに接続してデータを交換することにより、ゲームが進行する。オンラインゲームには麻雀やトランプなどの古くからあるゲームをネット対応にしたものや、大規模なロールプレイングゲーム、シューティングゲームがある。
【発明の開示】
【発明が解決しようとする課題】
【０００３】
しかしながら、従来のWEBゲームシステムでは、ユーザー（プレーヤー）は当該WEBゲームシステム内だけで完結し、他のWEBゲームシステム及び現実社会には反映・引継されない。
【課題を解決するための手段】
【０００４】ユーザーが（公序良俗違反につき、不掲載）（（公序良俗違反につき、不掲載）：自社開発WEBシステム。）内のクエスト企画を進行する過程において、（公序良俗違反につき、不掲載）内の他のゲーム内や現実社会と連動させる。
【発明の効果】
【０００５】
ゲーム内と現実社会の境界をなくすことで、ユーザー（プレーヤー）に、よりリアルな仮想空間を体験してもらう。また、ユーザー（プレーヤー）のＷＥＢゲームシステムへのアクセス数・アクセス時間を増加させる。
【発明を実施するための最良の形態】
【０００６】
ブラウザはInternet Explorer 6.0あるいは7.0（ともにマイクロソフト社登録商標）が望ましい。
【０００７】
以下、本発明の実施の形態として実施例を図１に基づいて説明する。
【実施例１】
【０００８】図１のように（１）（公序良俗違反につき、不掲載）内のクエスト企画・カードゲームを進行する。（２）（公序良俗違反につき、不掲載）内の他のゲーム及び現実社会で必要な情報を取得する。（３）（公序良俗違反につき、不掲載）内のクエスト企画・カードゲームの進行過程においてカード若しくは賞品を獲得し、（４）カードを（公序良俗違反につき、不掲載）内で利用、若しくは（５）賞品を現実社会で獲得する。
【図面の簡単な説明】
【０００９】
【図１】（公序良俗違反につき、不掲載）内WEBゲームシステム及び現実社会の相関図である。
【図１】
2010005184.tif 000003
(57)【要約】【課題】  ＩＣタグもしくはバーコードとハンディターミナルを利用した宿泊施設清掃管理システムで、簡素で安価なシステムを提供する。【解決手段】  ＩＣタグリーダーもしくはバーコードリーダーとハンディターミナル，またはＩＣタグリーダーもしくはバーコードリーダー内蔵のハンディターミナルで宿泊施設の各部屋にあるＩＣタグもしくはバーコードリーダーを読み取り、読み取ったデータを無線ＬＡＮによりサーバーに転送し、管理システム上で清掃の終了した部屋、清掃中の部屋、清掃がされていない部屋の情報が管理システム上で監視する。また、管理システムで各清掃員に次の指示を入力すると、清掃員はＩＣタグもしくはバーコードを読み取った時点でハンディターミナルの画面に指示が表示されるため、清掃中に作業を中断すること無く効率的に作業が行える。【選択図】図１
2010267233.tif 000002
【特許請求の範囲】
【請求項１】
旅館もしくはホテル等の宿泊施設で部屋の清掃開始と終了時にＩＣタグリーダーもしくはバーコードリーダーとハンディターミナル、またはＩＣタグリーダーもしくはバーコードリーダー内蔵のハンディターミナルで部屋にあるＩＣタグもしくはバーコードを読み取り、読み取ったデータを無線ＬＡＮによりデータベースサーバーに転送し、部屋の清掃状況をリアルタイムに監視する管理システム。
【請求項２】
部屋の清掃終了時に清掃終了のデータをデータベースサーバーに転送した際、フロント等の事務所からの次の指示がハンディターミナルの画面に表示される請求項１記載の管理システム。
【発明の詳細な説明】
【技術分野】
【０００１】  本発明は、旅館やホテル等宿泊施設の清掃状況の管理システムに関する。
【背景技術】
【０００２】  従来はハンディターミナルの無線通信のみによるホテルキーパーシステムがある。また、ドアスイッチを利用した清掃情報信号発生器がある。
【先行技術文献】
【特許文献】
【０００３】
【特許文献１】  特開平８−２８７１４６号公報  上記はハンディターミナルの無線通信のみによるホテルキーパーシステムである。
本発明と特許文献１との相違は、ＩＣタグもしくはバーコードを利用することにより簡単に使用できることである。
【特許文献２】  特開２００３−２１６７４６号公報  上記は部屋のドアに信号発生器を取り付けて清掃情報を管理するシステムである。
本発明と特許文献２との相違は、各部屋に信号発生器や有線回線を必要とせず、無線ＬＡＮとＩＣタグを利用することにより安価にしかも簡単に使用できることである。
【発明の概要】
【発明が解決しようとする課題】
【０００４】  本発明が解決しようとする課題は、宿泊施設の設備投資を最小限に抑え、清掃状況をリアルタイムにフロント等事務所で捉え、清掃員の配置やお客様の誘導を効率的に行う安価で簡素な管理システムを提供する。
また、清掃員にも簡単に利用できる管理システムを提供する。
【課題を解決するための手段】
【０００５】  上記の課題を解決するために本発明は、ＩＣタグリーダーもしくはバーコードリーダーとハンディターミナルまたはＩＣタグリーダーもしくはバーコードリーダー内蔵のハンディターミナルで宿泊施設の各部屋にあるＩＣタグもしくはバーコードを読み取り、読み取ったデータを無線ＬＡＮでサーバーに転送し、管理システム上で清掃の終了した部屋、清掃中の部屋、清掃がされていない部屋の情報が管理システム上で監視する。また、管理システムで各清掃員に次の指示を入力すると、清掃員はＩＣタグもしくはバーコードを読み取った時点で携帯電話の画面に指示が表示されるため、清掃中に作業を中断すること無く効率的に作業が行える。
【発明の効果】
【０００６】（１）清掃員はＩＣタグもしくはバーコードを読み取るだけで状況報告ができるようになるため、清掃の妨げにならず簡単に利用することができる。
（２）清掃員の指示が作業の合間に確認することができるため、作業が中断されること無く効率的に指示ができる。
（３）既設の無線ＬＡＮ環境があれば各部屋にはＩＣタグもしくはバーコードを貼り付けるだけで設置も簡単に行える。
【図面の簡単な説明】
【０００７】
【図１】本発明による宿泊施設清掃管理システムの全体構成図である。
【図２】本発明による宿泊施設清掃管理システムのビジネスフローチャートである。
【発明を実施するための形態】
【０００８】  本発明を実施するための形態を実施例に基づいて説明する。
（１）図１は本発明によるシステムの実施例として宿泊施設清掃管理システムの全体構成図である。
（２）図１の１は本発明で使用するＩＣタグリーダーもしくはバーコードリーダーとハンディターミナルまたはＩＣタグリーダーもしくはバーコードリーダー内蔵のハンディターミナル、２は清掃開始通信用のＩＣタグもしくはバーコード、３は清掃終了通信用のＩＣタグもしくはバーコードである。４は無線ＬＡＮ中継器、５は清掃状況と清掃員への指示データ蓄積用のデータベースサーバーである。
（３）図１の１のハンディターミナルには無線ＬＡＮを経由してデータを取得及び蓄積するためのデータ等が予め登録されており、２のＩＣタグもしくはバーコードリーダーには部屋と清掃開始用のデータが、３のＩＣタグもしくはバーコードには部屋と清掃終了用のデータが予め登録されている。清掃開始時に２のＩＣタグもしくはバーコードを１のＩＣタグリーダーもしくはバーコードリーダーで読み込ませ３のサーバーに無線ＬＡＮを経由してデータを転送する。
（４）転送した情報はデータベースに蓄積され、フロント等事務所では該当部屋の清掃が開始されたことが確認できる。
（５）清掃終了時に３のＩＣタグもしくはバーコードを１のＩＣタグリーダーもしくはバーコードリーダーで読み込ませ３のサーバーに無線ＬＡＮを経由してデータを同様に転送する。
（６）同様に情報はデータベースに蓄積され、フロント等事務所では該当部屋の清掃が終了したことが確認できる。
（７）フロント等事務所では清掃員の状況を管理システムで確認し、次の作業指示を管理システムで登録しておくと、３のＩＣタグもしくはバーコードを読込ませた後に登録された指示内容が清掃員のハンディターミナルに表示される。
（８）図２は清掃時のビジネスフローチャートである。
【符号の説明】
【０００９】１    ハンディターミナル＋ＩＣタグリーダーもしくはバーコードリーダーまたはＩＣタグリーダーもしくはバーコードリーダー内蔵のハンディターミナル
２    清掃開始通信用のＩＣタグ
３    清掃終了開始通信用のＩＣタグ
４    無線ＬＡＮ中継器
５    データベースサーバー
【図１】
2010267233.tif 000003
【図２】
2010267233.tif 000004
(57)【要約】【課題】  従来の照明装置は、ランニングコストのうえにおいては不利であり、インテリアとしては画一的、固定的であり、模様替え等が容易に出来ない。【解決手段】  本発明は、アクリル素材のパイプを外周のフレームとし、その各面を透明パネルで創られたキューブ（立方体）の中に三角形等のハーフミラー状の反射板を組み込み、それに内蔵するソーラー電池を電源とするＬＥＤライトにて照射して光の効果を観賞する非固定の照明装置である。そして、その単体または複数個をランダムに並列及び積み重ねて照明の効果及びインテリアの装飾効果にて上記の課題を解決する。【選択図】図１
2010267599.tif 000002
【特許請求の範囲】
【請求項１】
アクリル素材のパイプを外周のフレームとし、その各面を透明パネルで創られたキューブ（立方体）の中に三角形等のハーフミラー状の反射板を組み込み、それに内蔵するソーラー電池を電源とするＬＥＤライトにて照射して光の効果を観賞する非固定の照明装置。
【請求項２】
単体または複数個をランダムに並列及び積み重ねて照明の効果及びインテリアの装飾効果を期待する照明装置。
【発明の詳細な説明】
【技術分野】
【０００１】本発明はソーラー電池を内蔵する非固定の照明装置に関する。
【背景技術】
【０００２】
【特許文献１】
【特許文献２】
【非特許文献１】
【非特許文献２】
【発明の開示】
【発明が解決しようとする課題】
【０００３】従来の照明装置は、ランニングコストのうえにおいては不利であり、インテリアとしては画一的、固定的であり、模様替え等が容易に出来ない。
【課題を解決するための手段】
【０００４】本発明は、アクリル素材のパイプを外周のフレームとし、その各面を透明パネルで創られたキューブ（立方体）の中に三角形等のハーフミラー状の反射板を組み込み、それに内蔵するソーラー電池を電源とするＬＥＤライトにて照射して光の効果を観賞する非固定の照明装置である。そして、その単体または複数個をランダムに並列及び積み重ねて照明の効果及びインテリアの装飾効果にて上記の課題を解決する。
【発明の効果】
【・・・・】
【発明を実施するための最良の形態】
【・・・・】
【実施例】
【・・・・】
【産業上の利用可能性】
【・・・・】
【図面の簡単な説明】
【０００５】
【図１】本発明に係る照明装置の概観図である。
【図２】本発明に係る照明装置の下部平面図（Ａ〜Ａ）である。
【図３】本発明に係る照明装置のＣ〜Ｃ，Ｄ〜Ｄ断面図である。
【図４】本発明に係る照明装置の上部平面図（Ｂ〜Ｂ）である。
【図５】本発明に係る照明装置のＣ〜Ｃ，Ｄ〜Ｄ断面図である。
【符号の説明】  １  照明装置のフレーム
２  照明装置の透明パネル部
３  下部ハーフミラー反射パネル
４  下部ミラーパネル（ソーラー電池組込）
５  ＬＥＤライト
６  上部ハーフミラー反射パネル
７  蓋
【図１】
2010267599.tif 000003
【図２】
2010267599.tif 000004
【図３】
2010267599.tif 000005
【図４】
2010267599.tif 000006
【図５】
2010267599.tif 000007
(57)【要約】【課題】本発明は、ブロックを配列して形成される雨水等の貯留浸透槽に使用される透水性シートの目詰まり防止技術の提案である。【解決手段】本発明は、地下にブロックを配列して貯留空間１を形成し、その貯留空間１を透水性のシートで覆うことで浸透槽１とし、当該浸透槽１の周囲にブロックを配列し貯留空間２とし、前記浸透槽１と貯留空間２を併せて更に浸透性のシートで覆うことで浸透槽２とし、前記貯留空間２内に空気の泡を放出するための有孔管を配管し、浸透槽１の透水性シートに空気の泡を吹付けることで当該透水性シート面に付着した砂泥を剥離させる雨水等の貯留浸透槽である。【選択図】図１
2010174544.tif 000002
【特許請求の範囲】
【請求項１】
地下にブロックを配列して貯留空間１を形成し、その貯留空間１を透水性のシートで覆うことで浸透槽１とし、当該浸透槽１の周囲にブロックを配列し貯留空間２とし、前記浸透槽１と貯留空間２を併せて更に浸透性のシートで覆うことで浸透槽２とし、前記貯留空間２内に空気の泡を放出するための有孔管を配管し、浸透槽１の透水性シートに空気の泡を吹付けることで当該透水性シート面に付着した砂泥を剥離させる雨水等の貯留浸透槽。
【発明の詳細な説明】
【技術分野】
【０００１】
本発明は、雨水等の貯留浸透槽の技術に属する。
【背景技術】
【０００２】
雨水等の流出抑制を目的として、プラスチックなどで製造された単位部材を地下に配列充填し貯留空間を形成し、その周囲を透水性シートで覆った雨水等の貯留浸透槽が普及している。この目的のため各種の異なる形状の単位部材が例えば特開昭62-101097、特開昭62-126179、特開平9-296486、特開平10-252108、特開平10-115778、特開平11-43971、特開平11-222886などに提案且つ使用されている。いずれの方法も貯留空間に一時貯留した雨水等を、透水性シートを介して地中に浸透させる。透水性シートは雨水と共に流入する砂泥等でその目が詰まり透水性能が劣化する可能性がある。
【先行技術文献】
【特許文献】
【０００３】
【特許文献１】特開昭62-101097
【特許文献２】特開昭62-126179
【特許文献３】特開平9-296486
【特許文献４】特開平10-252108
【特許文献５】特開平10-115778
【特許文献６】特開平11-43971
【特許文献７】特開平11-222886
【発明の概要】
【発明が解決しようとする課題】
【０００４】
本発明は、ブロックを配列して形成される雨水等の貯留浸透槽に使用される透水性シートの目詰まり防止技術の提案である。
【課題を解決するための手段】
【０００５】
本発明は、地下にブロックを配列して貯留空間１を形成し、その貯留空間１を透水性のシートで覆うことで浸透槽１とし、当該浸透槽１の周囲にブロックを配列し貯留空間２とし、前記浸透槽１と貯留空間２を併せて更に浸透性のシートで覆うことで貯留空間２を浸透槽２とした浸透槽において、前記貯留空間２内に空気の泡を放出するための有孔管を配し、浸透槽１の透水性シートに空気の泡を吹き付けることで当該透水性シート面に付着した砂泥を剥離させる雨水等の貯留浸透槽である。目詰まり解消と防止のため空気を吹き付けるための配管用の空間を浸透槽内に設けた。
【発明の効果】
【０００６】
本発明は、浸透槽に対し、その貯留空間を２重構造とし、内側の貯留空間を貯留空間１とし外側の貯留空間を貯留空間２とし、貯留空間２内に有孔配管を配し、空気を噴出し、貯留空間1を覆う透水性シートに付着した砂泥を剥離できるようにした。そのため、貯留空間１と貯留空間２を隔てる透水性シートの浸透能力が維持される。また貯留空間２内には砂泥が侵入せず浸透槽２の透水性シートの浸透能力は変化しない。
【図面の簡単な説明】
【０００７】
【図１】本発明の浸透槽の概念図である。
【図２】本発明の貯留空間を形成するブロックの例を示す。
【発明を実施するための形態】
【０００８】
以下、本発明を図によって、より詳細に説明する。
図１は、本発明の浸透槽の概念図である。
図１ａは、平面図であり、図１ｂは、A-A’線での断面図である。
図に示す通り、本貯留槽は２重構造をとり、内側が貯留空間１で外側が貯留空間２となっている。それぞれの貯留空間の内部にはブロックが配置充填されており、雨水等が一時的に貯留可能となっている。ブロックとしては図２に示すような雨水等の貯留浸透施設のために使用される各種のブロックが利用可能である。貯留空間２に配置充填されるブロックは配管をするため、直線状に内部の見通すことができるブロックを選択することが好ましい。
【０００９】
各貯留空間の周囲は浸透性のシートで覆われ貯留空間１は浸透槽１、貯留空間２は浸透槽２となっている。
貯留空間２の内部には有孔配管が配列され、この有孔配管を介して空気の泡が浸透槽１の透水性シートに吹き付けられるようになっている。
【００１０】
一時貯留される雨水等は浸透槽１内に送られ、槽底からおよび槽の側面を覆う浸透性シートを介して地中若しくは浸透槽２内に浸透していく。雨水等が槽底から浸透する場合は、雨水と共に流入する砂泥等の沈積によってその浸透性能が劣化する可能性があり、側面から浸透槽２内に浸透する量が槽の浸透機能を保証するための基準となる。
【００１１】
浸透槽１の側面を覆う浸透性シートの機能も砂泥等の付着により徐々にその浸透性能を劣化させる可能性があるが、付着した砂泥は隣接する浸透槽２に設けた有孔配管から噴出される空気の泡により、振動、逆洗され浸透性シートから剥離される。有孔配管からの空気の噴出しは浸透性シートに向けて放出できるよう孔の位置など考慮することが好ましい。
【００１２】
浸透槽２には浸透槽１の透水シートを介して雨水等が浸透してくるため、その内部には砂泥等が沈積する可能性は極めて少なくなる。そのため、浸透槽２の底部及び周囲に設けられた透水性シートからの浸透性能は長期間維持できる。
【００１３】
充填配置するブロックは従来のブロックと同様ポリプロピレンなどの射出成形可能なポリオレフィン、ステンレススチールあるいはコンクリート製ブロックとすることができる。
【産業上の利用可能性】
【００１４】
雨水等の流出抑制のための一時貯留槽としての浸透槽の透水性能の維持に役立つ。
【符号の説明】
【００１５】
１  浸透槽
２  貯留空間１
３  貯留空間２
４  浸透槽１
５  浸透槽２
６  透水性シート
７  ブロック
８  有孔配管
【図１】
2010174544.tif 000003
【図２】
2010174544.tif 000004
(57)【要約】      （修正有）【課題】簡単に組立て、簡単に炭材のあるところに移動設置ができ、しかも炭化操作が簡単であることを特徴とする炭化炉を提供する。【解決手段】炭化炉は、リサイクルのドラム缶、ボンベの上部を切断し、成形したものであり、有害除去が可能とするため炉内の底面には鉱石と炭化材を敷く構造としている。また、燃焼室は炎の回転を容易にするため円形とするとともに、燃焼室内はダイオキシン発生を抑制させるため、炉内温度を急速冷却防止のためセラミック状の炭化層を設けた。【選択図】図１
2010174238.tif 000002
【特許請求の範囲】
【請求項１】
炭化炉は混焼とし炎の回転を容易とするため円形としたことを特徴とした。
【請求項２】
炉内温度の急速冷却を防止するためのセラミック状の炭化層装置を特徴とした。
【請求項３】
燃焼炉は焚き口を上部とし、燃焼物を上部から入れることを特徴とした。
【請求項４】
燃焼物を上部から入れた後の蓋の取り付け操作が簡単に出来ることを特徴とした。
【請求項５】
燃焼炉に木炭ならびに木酢液が製造できる装置を付属させたことを特徴とした。
【発明の詳細な説明】
【技術分野】
【０００１】本発明は、安価な炭化炉装置として炭化のあるところに運んで簡単に組立て設置することができ、しかも炭化操作が簡単にできることを特徴とする。
【背景技術】
【０００２】炭化炉の製造工程において設計、部材、型材、金型と製作技術がかかり高額である。
【発明の開示】
【発明が解決しようとする課題】
【０００３】本発明は、使用後のドラム缶やガスボンベのリサイクル品の活用であり、素材が本発明に確保できる製造コストが安価で、安全性安心で安価に提供する。
【課題を解決するための手段】
【０００４】本発明の燃焼炉は、焚き口に空気調整を備えることにより炉内温度が調整でき、多目的用にローコストな装置システムである。
【発明の効果】
【０００５】廃棄物のドラム缶、ボンベそのものの裁断によって要件が構成され確保できる。【０００６】本発明での成形物は廃棄物を充填にした簡易成形付である。【０００７】ドラム缶、ガスボンベには、耐熱効果がある。資源の再利活用製品であるため、これらの再資源化を図ることにより環境保全対策に有効である。【０００８】排気筒の調整により採取できる木酢液は、強酸性による殺菌性、消毒性があり衛生環境の調整に活用できる。
【発明を実施するための最良の形態】
【０００９】本発明は、リサイクルのドラム缶、ボンベの上部を切断し、炭化炉に成形する。炉内の底面には鉱石と炭化材を敷くことにより有害除去が可能とする。【００１０】燃焼室は炎の回転を容易にするため円形にしたことを特徴とする。【００１１】鉄の特徴の着火温度を低くする触媒作用を利用する為、炉壁を鉄製にしたことを特徴とする。【００１２】燃焼速度を早くし急速に燃焼室内温度を高温にするため送風部分を特徴とする。【００１３】燃焼室内はダイオキシン発生を抑制させるため、炉内温度を急速冷却防止のためセラミック状の炭化層を特徴とする。
【産業上の利用可能性】
【００１４】本発明は、簡単に組立て、炭材のあるところに移動設置ができることから合理化ならびに作業能率に関する。【００１５】サイズの変更により木炭、木酢液の大量生産に活用できる。
【図面の簡単な説明】
【００１６】
【図１】斜視図
【符号の説明】
【００１７】１、燃焼炉
２、焚き口
３、燃焼炉の上蓋
４、排気筒
５、木酢液採取装置
【図１】
2010174238.tif 000003
(57)【要約】【課題】従来の攪拌による水エマルジョン燃料の生成方法では、生成されたエマルジョン燃料は不安定で、また生成に多大な時間を要していた。【解決手段】水、燃料、添加剤を三方向からノズルを用いて加速、噴霧衝突させて粒子を微粒子化することにより化学的に安定な水エマルジョン燃料を得ることができ、また衝突による時間短縮により水エマルジョン燃料の生成時間を短縮させる。【選択図】図１
2010174212.tif 000002
【特許請求の範囲】
【請求項１】
水、燃料、添加剤をノズルを用いて三方向から加速、噴霧衝突させ微粒子化することにより生成させる、水エマルジョン燃料の生成方法。
【発明の詳細な説明】
【技術分野】
【０００１】
この発明は、高品質な水エマルジョン燃料の生成方法に関するものである。
【背景技術】
【０００２】
水エマルジョン燃料はその化学的特性により、水を包んでいる外側の油が燃え中の水が急激に沸騰して微爆発することにより微粒子化し、空気との接触面積が飛躍的に増加するために、理論上の空気量に近い空気で完全燃焼に近い燃焼をする。また局部的な不完全燃焼が少なくなるため燃焼効率が高まり粒子状物質の発生を抑えられ、尚且つ含有する水粒子の影響で内燃機関内の温度を比較的定温にすることができ窒素化合物の生成を抑えることができる。また水エマルジョン燃料はエマルジョン燃料になる前の燃料の性質を引き継ぐために省エネルギー材料として、コスト面等からも期待されてきた。
【０００３】
しかしながら水エマルジョン燃料の欠点として時間の経過と共に油水分離したり、二層化（上部に水分の少ないエマルジョン燃料、下部に水分の多いエマルジョン燃料）してしまうという欠点があった。そのため特許公開平１０−４７６５２のように様々なエマルジョン燃料生成方法が考案されてきた。
【先行技術文献】
【特許文献】
【０００４】
【特許文献１】特開平１０−４７６５２
【発明の開示】
【発明が解決しようとする課題】
【０００５】
しかしながら、以上の技術によれば、殆どの水エマルジョン燃料生成方法は  特開平１０−４７６５２のように攪拌の方法や種類によって水エマルジョン燃料の安定を図るものが多かった。しかし攪拌による水エマルジョン燃料の生成では水と燃料の混合粒子の微細化が不安定で水と燃料が反転分離する可能性が高く不完全燃焼を起こし失火や内燃機関の損傷に結びつくおそれがあった。
そこで、この発明では、水、燃料、添加剤に圧力を与え三方向から噴霧衝突させて超微粒子化させ安定した水エマルジョン燃料の生成を図るものである。
【課題を解決するための手段】
【０００６】
以上の問題を解決するために本発明は三方向から油、水、添加剤を特殊なノズルより加速、噴射し中央部分で噴霧衝突させ、微粒子化して安定したエマルジョン燃料を得る方法である。
【発明の効果】
【０００７】
この発明は水、燃料、添加剤を超高圧にまで加圧し、その加圧された燃料、水、添加剤を三方向に分岐させ、流入口に設置された特殊ノズルにより中央部に向けて加速させ、中央部分で噴霧衝突させ、微粒子化させ安定した水エマルジョン燃料を得る。また衝突による生成方法なので瞬時に水エマルジョン燃料を生成し安定化することができる。
【図面の簡単な説明】
【０００８】
【図１】水、燃料、添加剤をノズルを用いて三方向から加速、噴霧衝突させ微粒子化することにより生成させる、水エマルジョン燃料の生成方法を示す図である。
【発明を実施するための形態】
【０００９】
この発明の一実施形態を、図１に示す。
水1、油2、添加剤3を超高圧に加圧する。
【００１０】
加圧した水、油、添加剤を分岐させ４の超硬質特殊ノズルより中央部に向け加速させる。
【００１１】
中央部で噴霧衝突させることにより、微粒子化され安定した水エマルジョン燃料を得る。
【００１２】
以上の方法で水エマルジョン燃料を生成した場合、従来の攪拌によるエマルジョン燃料生成では充分な攪拌を得るのに多大な時間を要していたためにエマルジョン燃料の生成に時間が掛かってきたものが、一瞬で水エマルジョン燃料が生成できる。また攪拌した場合よりも高微粒子化できるために安定した水エマルジョン燃料を得ることが出来る。
【符号の説明】
【００１３】
１水
２油
３添加剤
４特殊硬質ノズル
【図１】
2010174212.tif 000003